(57)【要約】      （修正有）【課題】箱を蓋で封止する際に、箱本体側のロック部を差し込みフラップのスリットに差し込みしやすくし、蓋の封止後は、ロック部をスリットから抜けにくくする改ざん防止機能付き包装用箱を提供する。【解決手段】この包装用箱Ｂでは、差し込みフラップにスリット１７が形成され、箱本体ｂにロック部１８が形成されて、箱本体ｂを蓋で封じる際に、スリット１７にロック部１８を挿入し、ロック部１８の各鉤形の切り込み１８１とスリット１７の下側他方の切り込み１７２とを係合させて、蓋をロックし、蓋を開封するときは、つまみ部Ｔを差し込みフラップから引き上げて差し込みフラップをロック部１８から切り離す。【選択図】図２
0003210436.tif 000002
【実用新案登録請求の範囲】
【請求項１】
箱の正面、背面及び左右両側面をなす４側面板と箱の底面をなす底板とからなり、天面に開口を有する箱本体と、前記箱本体の天面をなし、前記箱本体の天面開口を開閉する先端に差し込みフラップを有する蓋とにより構成され、前記差し込みフラップに幅方向に延びるスリットを有し、前記箱本体の前記差し込みフラップに対向される一側面板の前記開口の縁部に前記スリットに挿入し係合可能なロック部を備え、前記箱本体を前記蓋で封止する際に、前記蓋側のスリットと前記箱本体側のロック部とを係合させて、前記蓋をロックし、前記蓋を不正に開封しようとすると、前記蓋又は前記箱本体の一部が破れて痕跡を残す改ざん防止機能付き包装用箱において、
前記蓋側のスリットは、前記差し込みフラップに、前記差し込みフラップの先端方向に向けて凸の円弧状に形成される一方の切り込みと、前記円弧状の切り込みの中央と両端との間の中間部近傍から前記差し込みフラップの先端方向に向けて凸の略Ｕ字形又は略コ字形又は略Ｖ字形又は略円弧状に形成される中間の切り込み及び当該中間の切り込みの両端から前記一方の切り込みの両端側に近接して並列に前記一方の切り込みの両端側に沿って斜めに形成され、前記一方の切り込みの両端につながる両端側の切り込みからなる他方の切り込みとにより、前記一方の切り込みと前記他方の切り込みとにより囲まれた部分を切り抜かれて、中央が溝形に開口され、両端側を長穴状に形成されるとともに、前記スリットの前記一方の切り込み側の縁部につまみ部が設けられ、
前記箱本体側のロック部は、前記一側面板の前記開口縁部に、当該開口縁部の前記スリットの両端に略対応する位置に一対の鉤形の切り込みを当該鉤形の先端を前記一側面板の幅方向中央に向けて形成されて、前記各鉤形の切り込み間に略板状に形成され、
前記箱本体を前記蓋で封じる際に、前記蓋側のスリットに前記箱本体側のロック部を挿入し、前記ロック部の前記各鉤形の切り込みと前記スリットの前記他方の切り込みとを係合させて、前記蓋をロックし、
前記蓋を開封する際は、前記つまみ部を前記差し込みフラップから引き上げて前記差し込みフラップを前記ロック部から切り離す、
ことを特徴とする改ざん防止機能付き包装用箱。
【請求項２】
差し込みフラップにスリットの両端から又はスリットの両端に近接して蓋に向けて切り取り線が付される請求項１に記載の改ざん防止機能付き包装用箱。
【請求項３】
一方の切り込みの両端と他方の切り込みの両端は蓋側に向けて凸の円弧状の切り込みを介してつなげられる請求項１又は２に記載の改ざん防止機能付き包装用箱。
【考案の詳細な説明】
【技術分野】
【０００１】
本考案は、化粧品、治験用薬などの物品を収納するのに使用する包装用箱に関し、特に、蓋の不正な開封を防止するのに最適な改ざん防止機能付き包装用箱に関する。
【背景技術】
【０００２】
一般に、化粧品などの商品は店内に陳列されるため、化粧品を収納する箱の蓋が不正に開封されないように、化粧品の箱には、蓋を一度開封するとその痕跡が残る改ざん防止機能を備えたものが知られている。
この種の改ざん防止機能を備えた包装箱が特許文献１により提案されている。
この文献１の包装箱は、前板と後板と左右の側板からなる胴部と、前板の上縁に連設される蓋板と、蓋板の先端部に設けられる差し込みフラップとを有し、蓋板の差し込みフラップを後板の内側に差し込み可能とし、後板の上縁の側の一部であって、後板のその他の部分から切取り可能に設けられた係止片と、蓋板の差し込みフラップに設けられてその幅方向へ延びるスリットとを有し、差し込みフラップを後板の内側に差し込むときに、係止片の上端係止部を差し込みフラップの外側面からスリットに挿入し、係止片の上端係止部にスリットのエッジを係止させることにより、蓋板を閉止し、蓋板の差し込みフラップのスリットのエッジと係止している係止片を後板のその他の部分から切り取ることにより、蓋板を開封するようになっている。
この包装箱では、特に、蓋板の差し込みフラップに設けられるスリットが、その幅方向の中央部に設けられ、先端側に向けて凸状をなす凸状スリット部と、凸状スリット部の幅方向の両側から水平に延びる水平スリット部と、凸状スリット部の幅方向の両側から水平スリット部に対して鋭角をなして斜め先端側に延びる斜行スリット部とを有し、差し込みフラップの凸状スリット部に沿って画成される凸片部を、係止片の上端係止部をスリットに挿入するときのガイドにして、差し込みフラップの水平スリット部のエッジを係止片の上端係止部に係止させて蓋板を閉止するようにしてある。
このようにして蓋板を不正に開封しようとすると、ロック部が破れて痕跡が残るようになっている。
【先行技術文献】
【特許文献】
【０００３】
【特許文献１】特許第５４０５２４９号公報
【考案の概要】
【考案が解決しようとする課題】
【０００４】
しかしながら、上記従来（特許文献１）の包装箱では、箱本体（胴部）側のロック部（係止片の上端係止部）を差し込みフラップのスリットに挿入し確実に係止させるために、差し込みフラップのスリットが、先端側に向けて凸状をなす凸状スリット部と、凸状スリット部の幅方向の両側から水平に延びる水平スリット部と、凸状スリット部の幅方向の両側から水平スリット部に対して鋭角をなして斜め先端側に延びる斜行スリット部とにより形成されているが、各スリット部が線状の切り込みにより形成されるために、箱本体に物品を収納した後、箱本体を蓋で封止する際に（つまり、蓋先端の差し込みフラップを箱本体内に差し込み、本体側のロック部を差し込みフラップのスリットに差し込み係止させるとき）に、ロック部をスリットに差し込みにくい、という問題がある。
【０００５】
本考案は、このような従来の問題を解決するもので、この種の改ざん防止機能付き包装用箱において、箱本体を蓋で封止する際に、箱本体側のロック部を差し込みフラップのスリットに差し込みしやすくし、また、蓋の封止後は、箱本体側のロック部を差し込みフラップのスリットから抜けにくくすること、を目的とする。
【課題を解決するための手段】
【０００６】
上記目的を達成するために、本考案の改ざん防止機能付き包装用箱は、
箱の正面、背面及び左右両側面をなす４側面板と箱の底面をなす底板とからなり、天面に開口を有する箱本体と、前記箱本体の天面をなし、前記箱本体の天面開口を開閉する先端に差し込みフラップを有する蓋とにより構成され、前記差し込みフラップに幅方向に延びるスリットを有し、前記箱本体の前記差し込みフラップに対向される一側面板の前記開口の縁部に前記スリットに挿入し係合可能なロック部を備え、前記箱本体を前記蓋で封止する際に、前記蓋側のスリットと前記箱本体側のロック部とを係合させて、前記蓋をロックし、前記蓋を不正に開封しようとすると、前記蓋又は前記箱本体の一部が破れて痕跡を残す改ざん防止機能付き包装用箱において、
前記蓋側のスリットは、前記差し込みフラップに、前記差し込みフラップの先端方向に向けて凸の円弧状に形成される一方の切り込みと、前記円弧状の切り込みの中央と両端との間の中間部近傍から前記差し込みフラップの先端方向に向けて凸の略Ｕ字形又は略コ字形又は略Ｖ字形又は略円弧状に形成される中間の切り込み及び当該中間の切り込みの両端から前記一方の切り込みの両端側に近接して並列に前記一方の切り込みの両端側に沿って斜めに形成され、前記一方の切り込みの両端につながる両端側の切り込みからなる他方の切り込みとにより、前記一方の切り込みと前記他方の切り込みとにより囲まれた部分を切り抜かれて、中央が溝形に開口され、両端側を長穴状に形成されるとともに、前記スリットの前記一方の切り込み側の縁部につまみ部が設けられ、
前記箱本体側のロック部は、前記一側面板の前記開口縁部に、当該開口縁部の前記スリットの両端に略対応する位置に一対の鉤形の切り込みを当該鉤形の先端を前記一側面板の幅方向中央に向けて形成されて、前記各鉤形の切り込み間に略板状に形成され、
前記箱本体を前記蓋で封じる際に、前記蓋側のスリットに前記箱本体側のロック部を挿入し、前記ロック部の前記各鉤形の切り込みと前記スリットの前記他方の切り込みとを係合させて、前記蓋をロックし、
前記蓋を開封する際は、前記つまみ部を前記差し込みフラップから引き上げて前記差し込みフラップを前記ロック部から切り離す、
ことを要旨とする。
この場合、差し込みフラップにスリットの両端から又はスリットの両端に近接して蓋に向けて切り取り線が付されることが好ましい。
また、この場合、一方の切り込みの両端と他方の切り込みの両端は蓋側に向けて凸の円弧状の切り込みを介してつなげられることが好ましい。
【考案の効果】
【０００７】
本考案の改ざん防止機能付き包装用箱によれば、上記の構成により、箱本体を蓋で封じる際に、中央が溝形に開口され、両端側を長穴状に形成された蓋側のスリットに箱本体側の板状のロック部を挿入し、ロック部の各鉤形の切り込みとスリットの他方の切り込みとを係合させて、蓋をロックするので、箱本体側のロック部を差し込みフラップのスリットに差し込みしやすくすることができ、蓋の封止後は、箱本体側のロック部を差し込みフラップのスリットから抜けにくくすることができ、また、蓋を開封するときは、つまみ部を差し込みフラップから引き上げて差し込みフラップをロック部から切り離すので、蓋の開封を容易に行うことができる、という本考案独自の格別な効果を奏する。
【図面の簡単な説明】
【０００８】
【図１】本考案の一実施の形態における改ざん防止機能付き包装用箱の開封前の外部構成を示す背面側から見た部分斜視図
【図２】同包装用箱の開封後の外部構成及び内部構成を示す背面側から見た部分斜視図
【図３】同包装用箱を構成する紙基材の展開図
【図４】同包装用箱の特に改ざん防止機能の構成及び作用効果を示す部分背面図
【図５】同包装用箱の使用例を示し、箱を開封した状態を示す背面側から見た部分斜視図
【図６】同包装用箱の使用例を示し、箱を不正に開封した状態を示す背面側から見た部分斜視図
【考案を実施するための形態】
【０００９】
次に、この考案を実施するための形態について図を用いて説明する。
図１及び図２に再封機能付き包装用箱を示している。
【００１０】
図１、図２に示すように、再封機能付き包装用箱Ｂ（以下、包装用箱Ｂ又は箱Ｂという場合がある。）は、ボール紙、クラフト紙のような比較的厚さがあり直立性のある紙材により形成され、箱Ｂの正面、背面及び左右両側面をなす４側面板１１−１４（正面板１１、右側面板１２、背面板１３、左側面板１４）と箱Ｂの底面をなす底板１５（図３参照）とからなり、天面に開口１０を有する箱本体ｂと、箱本体ｂの天面をなし、箱本体ｂの天面開口１０を開閉する蓋１６とにより構成される。
【００１１】
この箱Ｂの場合、箱本体ｂは、縦に長い直方体状に構成され、正面板１１、背面板１３はそれぞれ、同じ大きさの縦長の長方形で、左右の側面板１２、１４はそれぞれ、正面板１１、背面板１３よりも幅が狭い同じ大きさの縦長の長方形になっている。なお、この場合、正面板１１の右側面板１２とは反対側の側縁部に接続片１１１（図３参照）が形成され、この接続片１１１が左側面板１４の裏面で正面側縁部に糊を介して接続される。また、底板１５は、図３を参照すると、４側面板１１−１４の各端縁部、この場合、正面板１１の下端縁部から折れ線Ｌ１を介して連接され、箱本体ｂの底面開口の前側の略半部を閉塞可能な凸状部Ｅ１及び凹凸状部Ｅ２を有する複合形状の前側の底板１５１、背面板１３の下端縁部から折れ線Ｌ３を介して連接され、箱本体ｂの底面開口の後側の略半部を閉塞可能な凸状部Ｅ１及凹凸状部Ｅ２を有する複合形状の後側の底板１５２、左右各側面板１２、１４の下端縁部から折れ線Ｌ２、Ｌ４を介して連接され、箱本体ｂの底面開口の左右両側を閉塞可能な略台形状の左右一対のフラップ１５３、１５４からなり、箱本体ｂの底面開口で、前側、後側の各底板１５１、１５２が左右の各フラップ１５３、１５４に糊付けされ、各底板１５１、１５２の凸状部Ｅ１、凹凸状部Ｅ２が相互に係合されて、各底板１５１、１５２が横長の長方形に組み合わせられる。このようにして底板１５は底面開口の一方の対角線上で分割可能に構成され、この対角線上で前側、後側の各底板１５１、１５２とともに４側面板１１−１４が扁平状に折り畳み可能で、箱Ｂが折り畳まれた状態からワンタッチで箱形に組み立てられるようになっている。
【００１２】
蓋１６は、図３を参照すると、４側面板１１−１４の各端縁部、この場合、正面板１１の上端縁部から折れ線５を介して連接され、箱本体ｂの天面開口１０の全部を閉塞可能な横長の長方形の蓋本体１６１及び蓋本体１６１の先端に折れ線Ｌ８を介して必要な差し込み長さに連接され、箱本体ｂの天面開口１０内（具体的に言えば、後述の左右の各フラップ１６３、１６４と正面板１１との間の隙間）に差し込み可能な略台形の差し込みフラップ１６２、左右各側面板１２、１４の上端縁部から折れ線Ｌ６、Ｌ７を介して連接され、箱本体ｂの天面開口１０の両側を閉塞可能な略台形の左右一対のフラップ１６３、１６４からなる。このようにして箱本体ｂの天面開口１０を左右の各フラップ１６３、１６４で覆い、その上から蓋本体１６１により閉じ、蓋本体１６１先端の差し込みフラップ１６２を箱本体ｂ内に差し込むことにより、箱本体ｂの天面開口１０が封止されるようになっている。
【００１３】
そして、この包装用箱Ｂでは、図１、図２に示すように、差し込みフラップ１６２に幅方向に延びるスリット１７を有し、箱本体ｂの差し込みフラップ１６２に対向される一側面板１１、この場合、正面板１１の天面開口１０の縁部にスリット１７に挿入し係合可能なロック部１８を備え、箱本体ｂを蓋１６で封止する際に、蓋側のスリット１７と箱本体側のロック部１８とを係合させて、蓋１６をロックし、蓋１６を不正に開封しようとすると、蓋１６又は箱本体ｂの一部が破れて痕跡を残し、改ざんを防止するようになっている。
【００１４】
この箱Ｂの改ざん防止機能では、特に、蓋側のスリット１７は、差し込みフラップ１６２の略中央に、差し込みフラップ１６２の先端方向に向けて凸の円弧状に形成される上側一方の切り込み１７１と、この円弧状の切り込み１７１の中央と両端との間の中間部近傍から差し込みフラップ１６２の先端方向に向けて凸の略Ｕ字形に形成される中間の切り込み１７２ａ及びこの中間の切り込み１７２ａの両端から一方の切り込み１７１の両端側に近接して並列に一方の切り込み１７１の両端側に沿って斜めに形成され、上側一方の切り込み１７１の両端につながる両端側の切り込み１７２ｂからなる下側他方の切り込み１７２とにより、上側一方の切り込み１７１と下側他方の切り込み１７２とにより囲まれた部分を切り抜かれて、中央が溝形に開口され、両端側を長穴状に形成されるとともに、スリット１７の一方の切り込み１７１側の縁部につまみ部Ｔが円弧状に設けられる。この場合、スリット１７の一方の切り込み１７１の両端と他方の切り込み１７２の両端は蓋１６側に向けて凸の円弧状の切り込み１７３を介してつなげられる。そして、差し込みフラップ１６２にスリット１７の両端に近接する位置から一対の切り取り線１７４が蓋１６に向けて略逆ハの字形に付される。
また、箱本体側のロック部１８は、正面板１１の上縁部（開口縁部）に、この上縁部のスリット１７の両端に対応する位置又はそれよりも少し内側の位置に一対の鉤形の切り込み１８１をこれら鉤形の先端がそれぞれ正面板１１の幅方向中央に向けて形成されて、各鉤形の切り込み１８１間に横長の長方形の略板状に形成される。
【００１５】
また、この包装用箱Ｂは、図３に示すように、全体が一枚のブランクシートから一体的に打ち抜かれて形成される一枚の紙基材Ｐからなる。
この紙基材Ｐは、展開した状態において、組み立て時に箱本体ｂの正面板１１をなす正面板部Ｐ１１と、正面板部Ｐ１１の左側部に設けられ、組み立て時に箱本体ｂの左側面板１４の裏面に固定される接続片部Ｐ１１１と、正面板部１１の右側部に連続して設けられ、組み立て時に箱本体ｂの右側面板１２をなす右側面板部Ｐ１２と、右側面板部Ｐ１２の右側部に連続して設けられ、組み立て時に箱本体ｂの背面板１３をなす背面板部Ｐ１３と、背面板部Ｐ１３の右側部に設けられ、組み立て時に箱本体ｂの左側面板１４をなす左側面板部Ｐ１４と、正面板部Ｐ１１の上側部に連続して設けられ、組み立て時に蓋１６の蓋本体１６１をなす蓋本体部Ｐ１６１、及びこの蓋本体部Ｐ１６１の先端に連続して設けられ、組み立て時に差し込みフラップ１６２をなす差し込みフラップ部Ｐ１６２と、正面板部Ｐ１１の下側部に連続して設けられ、組み立て時に前側の底板１５１をなす前側底板部Ｐ１５１と、右側面板部Ｐ１２の上側部に連続して設けられ、組み立て時に蓋１６の右のフラップ１６３をなす右のフラップ部Ｐ１６３と、右側面板部Ｐ１２の下側部に連続して設けられ、組み立て時に底板１５の右のフラップ１５３をなす右のフラップ部Ｐ１５３と、背面板部Ｐ１３の下側部に連続して設けられ、組み立て時に底板１５の後側の底板１５２をなす後側底板部Ｐ１５２と、左側面板部Ｐ１４の上側部に連続して設けられ、組み立て時に蓋１６の左のフラップ１６４をなす左のフラップ部Ｐ１６４と、左側面板部Ｐ１４の下側部に連続して設けられ、組み立て時に底板１５の左のフラップ１５４をなす左のフラップ部Ｐ１５４と、を備える。
この場合、正面板部Ｐ１１、背面板部Ｐ１３が縦に長い長方形に、左右両側面板部Ｐ１２、１４がまた縦長の長方形になっている。なお、正面板部Ｐ１１の左側部の接続片部Ｐ１１１は略台形になっている。また、正面板部Ｐ１１には、既述のとおり、上縁部に、この上縁部においてスリット１７の両端に対応する位置又はそれよりも少し内側の位置に一対の鉤形の切り込み１８１がこれら鉤形の先端をそれぞれ正面板部Ｐ１１の幅方向中央に向けて形成されて、各鉤形の切り込み１８１間にロック部１８が横長長方形の略板状に形成される。
蓋本体部Ｐ１６１は箱本体ｂの天面開口１０と略同じ大きさの横長の長方形に形成され、その先端の差し込みフラップ部Ｐ１６２は角丸の略台形に形成され、右、左の各フラップ部Ｐ１６３、１６４は略台形に形成される。また、差し込みフラップ部Ｐ１６２には、既述のとおり、その略中央に、差し込みフラップ部Ｐ１６２の先端方向に向けて凸の円弧状に形成される上側一方の切り込み１７１と、この一方の切り込み１７１の中央と両端との間の中間部近傍から差し込みフラップ部Ｐ１６２の先端方向に向けて凸の略Ｕ字形に形成される中間の切り込み１７２ａ及びこの中間の切り込み１７２ａの両端から一方の切り込み１７１の両端側に近接して並列に一方の切り込み１７１の両端側に沿って斜めに形成され、上側一方の切り込み１７１の両端につながる両端側の切り込み１７２ｂからなる下側他方の切り込み１７２とにより、上側一方の切り込み１７１と下側他方の切り込み１７２とにより囲まれた部分を切り抜かれて、中央が溝形に開口され、両端側が長穴状のスリット１７が形成されるとともに、このスリット１７の一方の切り込み１７１側の縁部（この場合、一方の切り込み１７１の直下に）に円弧状のつまみ部Ｔが併せて形成される。そして、スリット１７の一方の切り込み１７１の両端と他方の切り込み１７２の両端が蓋１６側に向けて凸の円弧状の切り込み１７３を介してつなげられる。そして、差し込みフラップ部Ｐ１６２にスリット１７の両端に近接して、円弧状の切り込み１７３の延長上に一対の切り取り線１７４が蓋１６に向けて略ハの字形に付される。
前側底板部Ｐ１５１、後側底板部Ｐ１５２は箱Ｂの底面が（仮想の前後方向略中央ライン）で前後に２分割された形状で、かつ底面の略中央（仮想の前後方向略中央ライン）で相互に対向する縁部にその略中央（仮想の前後方向略中央ライン）から突出する凸状部Ｅ１とその略中央（仮想の前後方向略中央ライン）に一致する凹状部Ｅ２１及びその略中央（仮想の前後方向略中央ライン）から突出する凸状部Ｅ２２からなる凹凸状部Ｅ２が対称的に形成される。この前側底板部Ｐ１５１、後側底板部Ｐ１５２の場合、下端縁部は一端から略中心までが底面の略中央（仮想の前後方向略中央ライン）から略台形状に突出する凸状部Ｅ１をなし、縁部の中心から他端方向に向けて底面の仮想の前後方向略中央ラインに一致する凹状部Ｅ２１をなし、他端が底面の略中央（仮想の前後方向略中央ライン）から略台形状に突出する凸状部（接着片）Ｅ２２をなす。右のフラップ部Ｐ１５３、左のフラップ部Ｐ１５４は略台形に形成される。このようにして前側底板部Ｐ１５１の接着片Ｅ２２が近接する左右のフラップ部Ｐ１５３、Ｐ１５４の一方、この場合、右のフラップ部Ｐ１５３の表面に糊を介して固定されるとともに、後側底板部Ｐ１５４の接着片Ｅ２２が近接する左右のフラップ部Ｐ１５３、Ｐ１５４の他方、この場合、左側のフラップ部Ｐ１５４の表面に糊を介して固定され、前側底板部Ｐ１５１のＥ１が後側底板部Ｐ１５２の凹状部Ｅ２１から後側底板部Ｐ１５２の裏面側に差し込まれるとともに、後側底板部Ｐ１５２の凸状部Ｅ１が前側底板部Ｐ１５１の凹状部Ｅ１から前側底板部Ｐ１５１の裏面側に差し込まれて底板１５が形成される。かかる箱Ｂの各部の形状及び構造から、この箱Ｂは、底面の一方の対角線を折り畳み線として、正面板部１１と右側面板部１２、背面板部１３と左側面板部１４がそれぞれ裏面を合せて、かつ前側底板部Ｐ１５１と正面板部Ｐ１１、後側底板部Ｐ１５２と背面板部Ｐ１３がそれぞれ裏面を合せて折り畳み可能に構成される。なお、この包装用箱Ｂを化粧品を包装する工場などへ出荷するときは、箱Ｂはワンタッチで折り畳まれ、蓋本体１６１及び右、左の各フラップ１６３、１６４がそれぞれ、箱Ｂの正面板１１及び左右の各側面板１２、１４の天面開口１０１側の端部延長上に延ばされた状態が取られる。そして、化粧品の包装に際し、箱Ｂは、既述のとおりに折り畳まれた状態から、右側面板部Ｐ１２に対して正面板部Ｐ１１を引き離し、左側面板部Ｐ１４に対して背面板部Ｐ１３を引き離すように、４側面板部Ｐ１１−Ｐ１４を起こすと、正面板部Ｐ１１及び右側面板部Ｐ１２との間から前側底板部Ｐ１５１が一方の対角線上の折り畳み線を介して曲げ戻されるとともに背面板部Ｐ１３及び左側面板部Ｐ１４との間から後側底板部Ｐ１５２が一方の対角線上の折り畳み線を介して曲げ戻されて、前側、後側の各底板部Ｐ１５１、Ｐ１５２の対向する縁部が底面の中央で合わせられるとともに、前側底板部Ｐ１５１の縁部の凸状部Ｅ１が後側底板部Ｐ１５２の縁部の凹状部Ｅ２１から後側底板部Ｐ１５２の裏面側に差し込まれ、後側底板部Ｐ１５２の縁部の凸状部Ｅ１が前側底板部Ｐ１５１の縁部の凹状部Ｅ２２から前側底板部Ｐ１５１の裏面側に差し込まれた状態の略四角形状に戻されて、底板１５が形成され、箱Ｂの底面開口が閉塞される。これにより、箱Ｂは蓋１６及び各上フラップ１６３、１６４が正面板１１及び左右の各側面板１２、１４の上部延長上に延ばされた状態の箱形に戻される。
紙基材Ｐはかくして構成され、この紙基材Ｐは、既述のとおり、ワンタッチで箱形に戻され、箱本体ｂが組み立てられる。
【００１６】
このようにして箱Ｂは、箱本体Ｂ内に化粧品などが収納された後、箱本体ｂの天面開口１０が蓋１６で封止される。この場合、図４に示すように、蓋側のスリット１７に箱本体側のロック部１８を挿入し、ロック部１８の各鉤形の切り込み１８１とスリット１７の他方の切り込み１７２とを噛み合わせ係合させて蓋１６をロックする。このとき、蓋側のスリット１７は、中央が溝形に開口され、両端側を長穴状に形成されて、スリット１７の大きさが従来の線状の切り込みからなるスリットに比べて拡大され、しかも、スリット１７の中央が差し込みフラップ１６２の先端に向けて凸の円弧状で溝形に開口され、箱本体側のロック部１８がスリット１７の幅と略同じ幅の横長の板状になっているので、ロック部１８をその中央から両端側を徐々にスリット１７に挿入し、ロック部１８の各鉤形の切り込み１８１とスリット１７の他方の切り込み１７２とを係合させて、蓋１６をロックすることができ、箱本体側のロック部１８を差し込みフラップ１６２のスリット１７に差し込みしやすい。そして、このように蓋１６をロックすると、図４に示すように、蓋１６を上方に引き上げて開けようとしても、ロック部１８の両端の鉤形のスリット１８１で囲まれた部分にスリット１７の他方の切り込み１７２（具体的には、両端の切り込み１７２ｂ）のエッジが引っ掛かるので、ロック部１８がスリット１７から抜けにくく、差し込みフラップ１６２を箱本体ｂから容易に引き抜くことができない。つまり、蓋１６は容易に開くことができない。そして、蓋１６の封止後、蓋１６を開封するときは、図５に示すように、つまみ部Ｔを差し込みフラップ１６２から引き上げて差し込みフラップ１６２をロック部１８から切り離すようにしているので、蓋１６を不正に開封しようとして、つまみ部Ｔを無理に引き上げると、蓋１６又は箱本体ｂの一部が破れる。この場合、差し込みフラップ１６２のスリット１７の両端近傍に一対の切り取り線１７４が付けられているので、図６に示すように、差し込みフラップ１６２が各切り取り線１７４に沿って破断しやすく、蓋１６の一部に蓋１６を不正に開けた痕跡が残される。なお、蓋１６を開封するときは、図５に示すように、つまみ部Ｔを差し込みフラップ１６２から引き上げて差し込みフラップ１６２から一対の切り取り線１７４に沿って切り離し、このときに大きく開いたスリット１７からロック部１８をスリット１７の手前に引き出してスリット１７との係合を外すことで、蓋１６のロックを簡単に解除することができる。
このように差し込みフラップ１６２は、蓋１６や箱本体ｂの一部を破らない限り、箱本体ｂから引き抜くことができず、蓋１６を開けることができないので、ここに箱Ｂの改ざん防止としての効果がある。
【００１７】
以上説明したように、この包装用箱Ｂによれば、既述の構成により、箱本体ｂを蓋１６で封じる際に、中央が溝形に開口され、両端側を長穴状に形成された蓋側のスリット１７に箱本体側の板状のロック部１８を挿入し、ロック部１８の各鉤形の切り込み１８１とスリット１７の他方の切り込み１７２とを噛み合わせ係合させて、蓋１６をロックするので、箱本体側のロック部１８を差し込みフラップ１６２のスリット１７に差し込みしやすくすることができ、蓋１６の封止後は、箱本体側のロック部１８を差し込みフラップ１６２のスリット１７から抜けにくくすることができ、また、蓋１６を開封するときは、つまみ部Ｔを差し込みフラップ１６２から引き上げて差し込みフラップ１６２をロック部１８から切り離すので、蓋１６の開封を容易に行うことができる。
【００１８】
なお、この実施の形態では、スリット１７の他方の切り込み１７２の中間の切り込み１７２ａが差し込みフラップ１６２の先端方向に向けて凸の略Ｕ字形に形成されるものとしたが、この中間の切り込みは差し込みフラップの先端方向に向けて凸の略コ字形又は略Ｖ字形又は略円弧状に形成されてもよい。
このようにしても上記実施の形態と同様の作用効果を奏することができる。
また、この実施の形態では、差し込みフラップ１６２にスリット１７の両端に近接する位置から一対の切り取り線（ミシン目）１７４が蓋１６に向けて略逆ハの字形に付されるものとしたが、この一対の切り取り線（ミシン目）はスリットの両端（の位置）から蓋に向けて付けられてもよい。
このようにしても上記実施の形態と同様の作用効果を奏することができる。
【符号の説明】
【００１９】
Ｂ  改ざん防止機能付き包装用箱
ｂ 箱本体
１０  開口
１１ 正面板
１１１  接続片
１２ 右側面板
１３ 背面板
１４ 左側面板
１５  底板
１５１  前側の底板
Ｅ１  凸状部
Ｅ２  凹凸状部
Ｅ２１  凹状部
Ｅ２２  凸状部（接着片）
１５２  後側の底板
Ｅ１  凸状部
Ｅ２  凹凸状部
Ｅ２１  凹状部
Ｅ２２  凸状部（接着片）
１５３  右のフラップ
１５４  左のフラップ
１６  蓋
１６１  蓋本体
１６２  差し込みフラップ
１６３  右のフラップ
１６４  左のフラップ
１７  スリット
１７１  一方の切り込み
１７２  他方の切り込み
１７２ａ  中間の切り込み
１７２ｂ  両側の切り込み
１７３  円弧状の切り込み
１７４  切り取り線（ミシン目）
１８ ロック部
１８１  鉤形の切り込み
Ｔ  つまみ部
Ｐ  紙基材
Ｐ１１ 正面板部
Ｐ１１１  接続片部
Ｐ１２  右側面板部
Ｐ１３  背面板部
Ｐ１４  左側面板部
Ｐ１５１  前側底板部
Ｐ１５２  後側底板部
Ｐ１５３  右のフラップ部
Ｐ１５４  左のフラップ部
Ｐ１６１  蓋本体部
Ｐ１６２  差し込みフラップ部
Ｐ１６３  右のフラップ部
Ｐ１６４  左のフラップ部
１７  スリット
１７１  一方の切り込み
１７２  他方の切り込み
１７２ａ  中間の切り込み
１７２ｂ  両側の切り込み
１７３  円弧状の切り込み
１７４  切り取り線（ミシン目）
１８ ロック部
１８１  鉤形の切り込み
Ｌ１−Ｌ８  折れ線
【図１】
0003210436.tif 000003
【図２】
0003210436.tif 000004
【図３】
0003210436.tif 000005
【図４】
0003210436.tif 000006
【図５】
0003210436.tif 000007
【図６】
0003210436.tif 000008
【手続補正書】
【提出日】平成29年3月17日(2017.3.17)
【手続補正１】
【補正対象書類名】明細書
【補正対象項目名】０００６
【補正方法】変更
【補正の内容】
【０００６】
上記目的を達成するために、本考案の改ざん防止機能付き包装用箱は、
箱の正面、背面及び左右両側面をなす４側面板と箱の底面をなす底板とからなり、天面に開口を有する箱本体と、前記箱本体の天面をなし、前記箱本体の天面開口を開閉する先端に差し込みフラップを有する蓋とにより構成され、前記差し込みフラップに幅方向に延びるスリットを有し、前記箱本体の前記差し込みフラップに対向される一側面板の前記開口の縁部に前記スリットに挿入し係合可能なロック部を備え、前記箱本体を前記蓋で封止する際に、前記蓋側のスリットと前記箱本体側のロック部とを係合させて、前記蓋をロックし、前記蓋を不正に開封しようとすると、前記蓋又は前記箱本体の一部が破れて痕跡を残す改ざん防止機能付き包装用箱において、
前記蓋側のスリットは、前記差し込みフラップに、前記差し込みフラップの先端方向に向けて凸の円弧状に形成される一方の切り込みと、前記一方の切り込みの中央と両端との間の中間部近傍から前記差し込みフラップの先端方向に向けて凸の略Ｕ字形又は略コ字形又は略Ｖ字形又は略円弧状に形成される中間の切り込み及び当該中間の切り込みの両端から前記一方の切り込みの両端側に近接して並列に前記一方の切り込みの両端側に沿って斜めに形成され、前記一方の切り込みの両端につながる両端側の切り込みからなる他方の切り込みとにより、前記一方の切り込みと前記他方の切り込みとにより囲まれた部分を切り抜かれて、中央が溝形に開口され、両端側を長穴状に形成されるとともに、前記スリットの前記一方の切り込み側の縁部につまみ部が設けられ、
前記箱本体側のロック部は、前記一側面板の前記開口縁部に、当該開口縁部の前記スリットの両端に略対応する位置に一対の鉤形の切り込みを当該鉤形の先端を前記一側面板の幅方向中央に向けて形成されて、前記各鉤形の切り込み間に略板状に形成され、
前記箱本体を前記蓋で封じる際に、前記蓋側のスリットに前記箱本体側のロック部を挿入し、前記ロック部の前記各鉤形の切り込みと前記スリットの前記他方の切り込みとを係合させて、前記蓋をロックし、
前記蓋を開封する際は、前記つまみ部を前記差し込みフラップから引き上げて前記差し込みフラップを前記ロック部から切り離す、
ことを要旨とする。
この場合、差し込みフラップにスリットの両端から又はスリットの両端に近接して蓋に向けて切り取り線が付されることが好ましい。
また、この場合、一方の切り込みの両端と他方の切り込みの両端は蓋側に向けて凸の円弧状の切り込みを介してつなげられることが好ましい。
【手続補正２】
【補正対象書類名】実用新案登録請求の範囲
【補正対象項目名】請求項１
【補正方法】変更
【補正の内容】
【請求項１】
箱の正面、背面及び左右両側面をなす４側面板と箱の底面をなす底板とからなり、天面に開口を有する箱本体と、前記箱本体の天面をなし、前記箱本体の天面開口を開閉する先端に差し込みフラップを有する蓋とにより構成され、前記差し込みフラップに幅方向に延びるスリットを有し、前記箱本体の前記差し込みフラップに対向される一側面板の前記開口の縁部に前記スリットに挿入し係合可能なロック部を備え、前記箱本体を前記蓋で封止する際に、前記蓋側のスリットと前記箱本体側のロック部とを係合させて、前記蓋をロックし、前記蓋を不正に開封しようとすると、前記蓋又は前記箱本体の一部が破れて痕跡を残す改ざん防止機能付き包装用箱において、
前記蓋側のスリットは、前記差し込みフラップに、前記差し込みフラップの先端方向に向けて凸の円弧状に形成される一方の切り込みと、前記一方の切り込みの中央と両端との間の中間部近傍から前記差し込みフラップの先端方向に向けて凸の略Ｕ字形又は略コ字形又は略Ｖ字形又は略円弧状に形成される中間の切り込み及び当該中間の切り込みの両端から前記一方の切り込みの両端側に近接して並列に前記一方の切り込みの両端側に沿って斜めに形成され、前記一方の切り込みの両端につながる両端側の切り込みからなる他方の切り込みとにより、前記一方の切り込みと前記他方の切り込みとにより囲まれた部分を切り抜かれて、中央が溝形に開口され、両端側を長穴状に形成されるとともに、前記スリットの前記一方の切り込み側の縁部につまみ部が設けられ、
前記箱本体側のロック部は、前記一側面板の前記開口縁部に、当該開口縁部の前記スリットの両端に略対応する位置に一対の鉤形の切り込みを当該鉤形の先端を前記一側面板の幅方向中央に向けて形成されて、前記各鉤形の切り込み間に略板状に形成され、
前記箱本体を前記蓋で封じる際に、前記蓋側のスリットに前記箱本体側のロック部を挿入し、前記ロック部の前記各鉤形の切り込みと前記スリットの前記他方の切り込みとを係合させて、前記蓋をロックし、
前記蓋を開封する際は、前記つまみ部を前記差し込みフラップから引き上げて前記差し込みフラップを前記ロック部から切り離す、
ことを特徴とする改ざん防止機能付き包装用箱。